(57)【要約】【課題】画像を符号化する場合に、画像の劣化に対する人間の認知度合いに応じたビット割り当てを行い、適切なレート制御を行うことにより、画質劣化を軽減可能な画像処理装置を提供する。【解決手段】画像評価用フィルタ１２が、画像の劣化分（原画像と符号化・復号化画像との間の差分）に対し、人間の視覚特性と一致したフィルタ処理を行うことにより、画像の劣化に対する人間の認知度に相当する評価値（認知度が高い場合は大きな評価値、認知度が低い場合は小さな評価値）を出力する。そして、符号化器１５が、その評価値に基づいてビットの割り当て（評価値が大きい場合は多くのビット割り当て、評価値が小さい場合は少ないビット割り当て）を行いレート制御を行う。【選択図】図３
2008160527.tif 000002
【特許請求の範囲】
【請求項１】
原画像に符号化処理を施し、符号化ビットストリームを出力する画像処理装置において、
原画像と、該原画像に符号化処理及び復号化処理を施した画像との間の差分を生成する減算器、
該減算器により生成された差分に対し、人間の視覚特性に合致したフィルタ処理により、人間が認知する度合いに応じた評価値を画素毎に生成する画像評価用フィルタ、
及び、該画像評価用フィルタにより生成された評価値に基づいて、符号化のためのビット割り当てを行う符号化器を備えたことを特徴とする画像処理装置。
【請求項２】
請求項１に記載の画像処理装置において、
前記符号化器が、評価値が大きい場合に多くのビットを割り当て、評価値が小さい場合に少ないビットを割り当てることを特徴とする画像処理装置。
【請求項３】
請求項１または２に記載の画像処理装置において、
前記画像評価用フィルタが、複数の空間フィルタ及び複数の時間フィルタを有し、複数の空間フィルタのうちの少なくとも二つの空間フィルタ及び複数の時間フィルタのうちの少なくとも二つの時間フィルタを、それぞれ低周波数の信号を通過させるローパスフィルタ及び中域または高周波数の信号を通過させるバイパスフィルタとし、画素の輝度に応じて複数の空間フィルタ及び複数の時間フィルタのうちの一つの空間フィルタ及び一つの時間フィルタに切り替えて特定することを特徴とする画像処理装置。
【請求項４】
請求項３に記載の画像処理装置において、
前記画像評価用フィルタが、複数の空間フィルタ及び複数の時間フィルタを直列に接続し、さらに、画素の輝度に応じて複数の空間フィルタのうちの一つの空間フィルタに切り替える第１の切替器、画素の輝度に応じて複数の時間フィルタのうちの一つの時間フィルタに切り替える第２の切替器、及び、前記第１の切替器により切り替えて特定された一つの空間フィルタ及び前記第２の切替器により切り替えて特定された一つの時間フィルタによりフィルタ処理が施された画素値に対し、２乗または絶対値の演算を施す演算器を有し、前記２乗または絶対値の演算結果を評価値として生成することを特徴とする画像処理装置。
【発明の詳細な説明】
【技術分野】
【０００１】
本発明は、ＭＰＥＧ−２、Ｈ．２６４等に規定する符号化技術に関し、特に、符号化の画質劣化を軽減するためのビット割り当てを適切に行う画像処理装置に関する。
【背景技術】
【０００２】
従来、動画像の圧縮方式としてＭＰＥＧ−２、ＭＰＥＧ−４等の規格に準じたものが実用化されており、この他にも多くの圧縮方式が存在する。これらの圧縮方式は、動き補正及び変換符号（ＤＣＴ等）を基礎技術としている。
【０００３】
例えば、ＭＰＥＧ−２の圧縮方式では、画像を複数の画素の集合からなるブロックに分割し、各ブロックに対してＤＣＴを施すことにより時間領域の信号を周波数領域の信号に変換する。このＤＣＴにより得られるＤＣＴ係数と呼ばれる周波数成分を所定の量子化幅で量子化し、量子化により得られる量子化係数に可変量符号を割り当てて可変量符号化し、符号化データである符号化ビットストリームを出力する。
【０００４】
このような圧縮方式においては、量子化及び符号化におけるビット割り当てのレート制御が重要である。例えば、特許文献１に記載された画像処理装置では、画像内の処理ブロックにおける画素値の平均（直流）及び分散（複雑さ）を用いることによりレート制御を行っている。ここで、分散（複雑さ）はエッジエネルギーに相当する。
【０００５】
図１は、特許文献１に記載された従来の画像処理装置１００の構成を示すブロック図である。この従来の画像処理装置１００は、動画像符号化手段１０１、ピクチャ群量子化幅設定手段１０２、及び平均ビットレート調整手段１０３を備えている。動画像符号化手段１０１は、原画像を入力し、マクロブロック毎に与えられた量子化幅に基づいて原画像の符号化処理を行い、符号化ビットストリームを出力する。この場合、動画像符号化手段１０１は、量子化幅を平均ビットレート調整手段１０３から入力し、出力する符号化ビットストリームにおける発生符号量をピクチャ群量子化幅設定手段１０２及び平均ビットレート調整手段１０３に出力する。
【０００６】
ピクチャ群量子化幅設定手段１０２は、発生符号量及び量子化幅に基づいて、ＧＯＢ（ブロックの集合）の量子化幅を生成し、平均ビットレート調整手段１０３に出力する。ここで、ピクチャ群量子化幅設定手段１０２は、ピクチャ群複雑度計算手段１０４、平均複雑度計算手段１０５、及びピクチャ群量子化幅計算手段１０６を備えている。
【０００７】
ピクチャ群複雑度計算手段１０４及び平均複雑度計算手段１０５は、発生符号量を動画像符号化手段１０１から入力し、量子化幅を平均ビットレート調整手段１０３から入力し、ピクチャ群複雑度及び平均複雑度をそれぞれ計算し、ピクチャ群量子化幅計算手段１０６に出力する。ピクチャ群量子化幅計算手段１０６は、ピクチャ群複雑度及び平均複雑度に基づいて、ＧＯＢの量子化幅を計算し、平均ビットレート調整手段１０３に出力する。
【０００８】
平均ビットレート調整手段１０３は、ＧＯＢの量子化幅をピクチャ群量子化幅設定手段１０２から入力し、動画像符号化手段１０１から発生符号量を入力し、発生符号量と平均ビットレートとを比較して平均ビットレートに対する実際に発生した符号量の過不足量を計算し、この過不足量に応じて量子化幅を調整し、動画像符号化手段１０１に出力する。
【０００９】
このような画像内の処理ブロックにおける画素値の平均及び分散を用いるレート制御は、非特許文献１に記載されているように、ＭＰＥＧ−２の規格においても行われている。
【００１０】
【特許文献１】特許第３５０８９１６号公報
【非特許文献１】“ＲＡＴＥ  ＣＯＮＴＲＯＬ  ＡＮＤ  ＱＵＡＮＴＩＺＡＴＩＯＮ  ＣＯＮＴＲＯＬ”、［online］、［平成１８年１月２４日検索］、インターネット＜ＵＲＬ：http://www.mpeg.org/MPEG/MSSG/tm5/Ch10/Ch10.html＞
【発明の開示】
【発明が解決しようとする課題】
【００１１】
前述したレート制御は、フレーム単位またはフィールド単位に行われるものである。このため、画面内で大きな物体が動き出す場合や、画面全体において雨が降っている場合には、適用することができないという問題があった。通常のコーディックでは、シーンチェンジを検出し、シーンチェンジを検出した際に異なるレート制御に変更するようになっており、このシーンチェンジは断片的に行われる。しかし、画面内で大きな物体が動き出す場合や、画面全体において雨が降っている場合は、その状況が数フレームに渡ることになり、その状況以前の画像からその状況の画像に移行してもシーンチェンジが検出されないため、異なるレート制御に変更されることはない。ここで、画質を劣化させないためには、異なるルート制御を行う必要がある。
【００１２】
また、人間は、画像の劣化が小さくてもそれを認知する場合があり、また、画像の劣化が大きくてもそれを認知しない場合がある。前述のように単に平均と分散のみに基づいたレート制御を行う場合は、人間が認知できる劣化に対して十分なビット割り当てを行うことができず、認知できない劣化に対して余分なビット割り当てを行ってしまう。このように、画像の劣化に対する人間の認知度合いに応じて、レート制御が適切に行われていないという問題があった。
【００１３】
そこで、本発明は前記課題を解決するためになされたものであり、その目的は、画像を符号化する場合に、画像の劣化に対する人間の認知度合いに応じたビット割り当てを行い、適切なレート制御を行うことにより、画質劣化を軽減可能な画像処理装置を提供することにある。
【課題を解決するための手段】
【００１４】
上記課題を解決するため、本発明は、原画像と符号化・復号化画像との間の差分に対して、人間の視覚特性と一致したフィルタを用いてフィルタ処理を行い、このフィルタ処理により、劣化が大きい場合は多くのビット割り当てを行い、劣化が小さい場合は少ないビット割り当てを行うことを特徴とする。
【００１５】
すなわち、本発明による画像処理装置は、原画像に符号化処理を施し、符号化ビットストリームを出力する画像処理装置において、原画像と、該原画像に符号化処理及び復号化処理を施した画像との間の差分を生成する減算器、該減算器により生成された差分に対し、人間の視覚特性に合致したフィルタ処理により、人間が認知する度合いに応じた評価値を画素毎に生成する画像評価用フィルタ、及び、該画像評価用フィルタにより生成された評価値に基づいて、符号化のためのビット割り当てを行う符号化器を備えたことを特徴とする。
【００１６】
また、本発明による画像処理装置は、前記符号化器が、評価値が大きい場合に多くのビットを割り当て、評価値が小さい場合に少ないビットを割り当てることを特徴とする。
【００１７】
また、本発明による画像処理装置は、前記画像評価用フィルタが、複数の空間フィルタ及び複数の時間フィルタを有し、複数の空間フィルタのうちの少なくとも二つの空間フィルタ及び複数の時間フィルタのうちの少なくとも二つの時間フィルタを、それぞれ低周波数の信号を通過させるローパスフィルタ及び中域または高周波数の信号を通過させるバイパスフィルタとし、画素の輝度に応じて複数の空間フィルタ及び複数の時間フィルタのうちの一つの空間フィルタ及び一つの時間フィルタに切り替えて特定することを特徴とする。
【００１８】
また、本発明による画像処理装置は、前記画像評価用フィルタが、複数の空間フィルタ及び複数の時間フィルタを直列に接続し、さらに、画素の輝度に応じて複数の空間フィルタのうちの一つの空間フィルタに切り替える第１の切替器、画素の輝度に応じて複数の時間フィルタのうちの一つの時間フィルタに切り替える第２の切替器、及び、前記第１の切替器により切り替えて特定された一つの空間フィルタ及び前記第２の切替器により切り替えて特定された一つの時間フィルタによりフィルタ処理が施された画素値に対し、２乗または絶対値の演算を施す演算器を有し、前記２乗または絶対値の演算結果を評価値として生成することを特徴とする。
【発明の効果】
【００１９】
以上のように、本発明によれば、画像を符号化する場合に、画像の劣化に対する人間の認知度合いに応じたビット割り当てを行うことができる。これにより、適切なレート制御が可能となり、符号化における画質劣化を軽減することができる。
【発明を実施するための最良の形態】
【００２０】
以下、本発明を実施するための最良の形態について図面を用いて詳細に説明する。
図２は、本発明の実施の形態による画像処理装置の構成を示すブロック図である。この画像処理装置１は、符号化・復号化器１０、減算器１１、画像評価用フィルタ１２、遅延手段１３，１４、及び符号化器１５を備えている。この画像処理装置１では、画像評価用フィルタ１２が、画像の劣化分（原画像と符号化・復号化画像との間の差分）に対し、人間の視覚特性と一致したフィルタ処理を行うことにより、画像の劣化に対する人間の認知度に相当する評価値（認知度が高い場合は大きな評価値、認知度が低い場合は小さな評価値）を出力し、符号化器１５が、その評価値に基づいてビットの割り当て（評価値が大きい場合は多くのビット割り当て、評価値が小さい場合は少ないビット割り当て）を行いレート制御を行うようにした点が特徴である。
【００２１】
符号化・復号化器１０は、原画像を入力し、符号化処理及び復号化処理を施し、符号化・復号化画像を減算器１１及び画像評価用フィルタ１２に出力する。ここで、符号化・復号化画像は、通常の画像であるが、原画像と比較すると符号化による劣化が生じている。
【００２２】
遅延手段１３は、原画像を入力し、符号化・復号化器１０による処理時間分の遅延を生じさせ、遅延した原画像を減算器１１及び遅延手段１４に出力する。ここで、遅延手段１３による原画像の遅延処理は、減算器１１において符号化・復号化画像と原画像との位相を一致させるために行われる。
【００２３】
減算器１１は、遅延手段１３から遅延した原画像を入力し、符号化・復号化器１０から符号化・復号化画像を入力し、その原画像から符号化・復号化画像を減算し、各画素における画素値を求め、原画像と符号化・復号化画像との間の差分として画像評価用フィルタ１２に出力する。ここで、原画像と符号化・復号化画像との間の差分は、画像の劣化に相当するものである。
【００２４】
画像評価用フィルタ１２は、減算器１１から原画像と符号化・復号化画像との間の差分を入力し、符号化・復号化器１０から符号化・復号化画像を入力し、差分に対して人間の視覚特性と一致したフィルタ処理を施し、画像の劣化に対する人間の認知度に相当する評価値を生成し、画素毎の評価値を符号化器１５に出力する。例えば、画素の座標値及びその画素における評価値を出力する。ここで、認知度が高い場合は、符号化器１５において多くのビットが割り当てられるように、評価値として大きな値を生成する。また、認知度が低い場合は、符号化器１５において少ないビットが割り当てられるように、評価値として小さな値を生成する。画像評価用フィルタ１２の詳細については後述する。
【００２５】
遅延手段１４は、原画像を遅延手段１３から入力し、画像評価用フィルタ１２によるフィルタ処理時間分の遅延を生じさせ、遅延した原画像を符号化器１５に出力する。ここで、遅延手段１４による原画像の遅延処理は、符号化器１５において原画像と評価値との対応付けのために行われる。
【００２６】
符号化器１５は、遅延した原画像を入力し、画像評価用フィルタ１２から画素毎の評価値を入力し、原画像に対し、評価値に基づいて原画像に対しビットを割り当ててレート制御を行い、符号化ビットストリームを出力する。具体的には、ブロックにおける画素毎の評価値を加算し、その加算結果に比例したビットを割り当てる。すなわち、評価値が大きい場合は多くのビットを割り当て、評価値が小さい場合は少ないビットを割り当てる。
【００２７】
図３は、図２に示した画像評価用フィルタ１２の第１の構成を示すブロック図である。この画像評価用フィルタ１２−１は、画像の劣化に対し、人間の視覚特性と一致したフィルタ処理を行うものであり、画像の劣化に対する人間の認知度に相当する評価値を出力する。画像評価用フィルタ１２―１は、切替器３０，３３、空間フィルタ３１−１〜３，３７、加算器３２，３６、時間フィルタ３４−１〜３、演算器３５−１〜３、及び変換手段３８を備えている。
【００２８】
一般に、人間の視覚は、明るいときは細かい箇所もよく見え、暗いときは大まかにしか見えない性質を有している。また、明るいときは画面のちらつきがよく見え、暗いときは残像が多くなる。このように人間の視覚は、明るさ（輝度）に依存しており、輝度の低い領域ではローパスフィルタとなり、輝度の高い領域ではバンドパスフィルタとなる特性を有している。また、フリッカやモスキートノイズのような空間的、時間的な歪みに対しては、このような視覚特性によるフィルタを通して認知する。具体的には、明るいときは、早いフリッカがよく見え、遅いフリッカは大まかにしか見えない。また、暗いときは、遅いフリッカがよく見え、早いフリッカは大まかにしか見えない。尚、人間の視覚特性の詳細については、「西田泰章，合志清一他、“リアルタイム画質評価装置”、映像メディア学会誌ｖｏｌ．５４，Ｎｏ１１，ｐｐ１６２３−１６３０（２０００）」を参照されたい。このような人間の視覚特性を反映したのが図３に示した画像評価用フィルタ１２−１である。
【００２９】
空間フィルタ３７は、符号化・復号化画像を符号化・復号化器１０から入力し、同一フレームにおける所定の領域の複数の画素において画素毎にフィルタ処理を施す。変換手段３８は、空間フィルタ３７を介して入力した画素値から輝度値を計算し、その輝度値に応じた切替信号を切替器３０，３３にそれぞれ出力する。具体的には、その輝度値が０〜２０％，２１〜４０％，４１〜１００％にそれぞれ相当する切替信号を変換テーブルまたは演算により特定し、その切替信号を切替器３０に出力する。また、同様に、その輝度値が０〜１０％，１１〜２０％，２１〜１００％にそれぞれ相当する切替信号を切替器３３に出力する。
【００３０】
切替器３０は、減算器１１から原画像と符号化・復号化画像との間の差分の画素値を入力し、変換手段３８から切替信号を入力し、輝度０〜２０％の切替信号の場合は入力した差分の画素値を空間フィルタ３１−１に出力し、輝度２１〜４０％の切替信号の場合は入力した差分の画素値を空間フィルタ３１−２に出力し、輝度４１〜１００％の切替信号の場合は入力した差分の画素値を空間フィルタ３１−３に出力する。
【００３１】
空間フィルタ３１−１〜３は、同一フレームにおける所定の領域の複数の画素において画素毎にフィルタ処理を施す。空間フィルタ３１−１は、輝度値が０〜２０％の場合に有効なフィルタ処理を行い、低周波数の信号を強調して出力する。つまり、所定の周波数以下の低周波数の信号を通過させ、それ以外の信号を減衰させるローパスフィルタの機能を有する。
【００３２】
空間フィルタ３１−２は、輝度値が２１〜４０％の場合に有効なフィルタ処理を行い、中間周波数の信号を強調して出力する。つまり、所定の周波数範囲内の信号を通過させ、それ以外の信号を減衰させるバンドパスフィルタの機能を有する。空間フィルタ３１−３は、輝度値が４１〜１００％の場合に有効なフィルタ処理を行い、高周波数の信号を強調して出力する。つまり、バンドパスフィルタの機能を有する。図５（１）に空間フィルタ３１−１〜３の特性を示す。
【００３３】
加算器３２は、空間フィルタ３１−１〜３によりフィルタ処理が施された差分の画素値を加算し、切替器３３に出力する。具体的には、切替器３０により輝度値に応じて空間フィルタ３１−１〜３が使い分けられているから、画素毎に空間フィルタ３１−１〜３のうちのいずれかによりフィルタ処理が施された信号を出力することになる。
【００３４】
切替器３３は、加算器３２から空間フィルタ処理が施された差分の画素値を入力し、変換手段３８から切替信号を入力し、輝度０〜１０％の切替信号の場合は入力した差分の画素値を時間フィルタ３４―１に出力し、輝度１１〜２０％の切替信号の場合は入力した差分の画素値を時間フィルタ３４−２に出力し、輝度２１〜１００％の切替信号の場合は入力した差分の画素値を時間フィルタ３４−３に出力する。
【００３５】
時間フィルタ３４−１〜３は、複数フレームにおける同一箇所の画素について、画素毎にフィルタ処理を施す。時間フィルタ３４−１は、輝度値が０〜１０％の場合に有効なフィルタ処理を行い、低周波数の信号を強調して出力する。つまり、ローパスフィルタの機能を有する。時間フィルタ３４−２は、輝度値が１１〜４０％の場合に有効なフィルタ処理を行い、中間周波数の信号を強調して出力する。つまり、バンドパスフィルタの機能を有する。時間フィルタ３４−３は、輝度値が２１〜１００％の場合に有効なフィルタ処理を行い、中域または高周波数の信号を強調して出力する。つまり、バンドパスフィルタの機能を有する。図５（４）に時間フィルタ３４−１〜３の特性を示す。
【００３６】
演算器３５−１〜３は、時間フィルタ３４−１〜３によりフィルタ処理が施された差分の画素値に対し、二乗または絶対値の演算を施し、その演算結果をそれぞれ加算器３６に出力する。
【００３７】
加算器３６は、演算器３５−１〜３による演算結果を加算し、評価値として符号化器１５に出力する。具体的には、切替器３３により輝度値に応じて時間フィルタ３４−１〜３が使い分けられているから、画素毎に時間フィルタ３４−１〜３及び演算器３５−１〜３のうちのいずれかの系統によりフィルタ処理及び演算処理が施された信号を評価値として出力することになる。
【００３８】
このように、切替器３０、空間フィルタ３１−１〜３、及び加算器３２は、明るさにおける空間方向（注目画素について同一フレーム内のその注目画素を含む所定領域）のフィルタ処理を行う。具体的には、輝度値が小さい（暗い）画素の場合は、低周波数の信号を通過させ、それ以外の信号をカットすることにより、人間の認知度の高い低周波数の信号のみを強調する。また、輝度値が大きい（明るい）画素の場合は、高周波数の信号を通過させ、それ以外の信号をカットすることにより、人間の認知度の高い高周波数の信号のみを強調する。
【００３９】
また、切替器３３、時間フィルタ３４−１〜３、演算器３５−１〜３、及び加算器３６は、明るさにおける時間方向（注目画素について複数のフレームに渡るその注目画素と同一箇所）のフィルタ処理を行う。具体的には、輝度値が小さい（暗い）画素の場合は、遅くフリッカする低周波数の信号を通過させ、それ以外の信号をカットすることにより、人間の認知度の高い遅くフリッカする低周波数の信号のみを強調する。また、輝度値が大きい（明るい）画素の場合は、早くフリッカする高周波数の信号を通過させ、それ以外の信号をカットすることにより、人間の認知度の高い早くフリッカする高周波数の信号のみを強調する。
【００４０】
つまり、画像評価用フィルタ１２−１によれば、人間の視覚特性に一致したフィルタ処理を実現することができ、画像の劣化（差分）に対する人間の認知度に応じた評価値を出力することができる。具体的には、劣化に対する人間の認知度が高い場合は、大きな値の評価値を出力し、劣化に対する人間の認知度が低い場合は、小さい値の評価値を出力することができる。
【００４１】
したがって、符号化器１５は、入力した評価値に比例したビット割り当てを行うから、画像の劣化に対する人間の認知度が高い場合は多くのビットを割り当て、認知度が低い場合は少ないビットを割り当てたレート制御を行うようになる。これにより、人間の視覚特性に一致したレート制御が行われるから、符号化における画質劣化を軽減することができる。また、固定ビットレート符号化方式において、従来よりも向上した画質のデータを伝送することができる。
【００４２】
図４は、図２に示した画像評価用フィルタ１２の第２の構成を示すブロック図である。この画像評価用フィルタ１２−２は、空間フィルタ４０−１〜３，４３，４８、切替器４１，４５、時間フィルタ４２，４４−１〜３、演算器４６−１，２、加算器４７、及び変換手段４９を備えている。
【００４３】
図３に示した画像評価用フィルタ１２−１と図４に示す画像評価用フィルタ１２−２とを比較すると、画像評価用フィルタ１２−１の切替器３０，３３、空間フィルタ３１−１〜３、時間フィルタ３４−１〜３、空間フィルタ３７、及び変換手段３８が、それぞれ、画像評価用フィルタ１２−２の切替器４１，４５、空間フィルタ４０−１〜３、時間フィルタ４４−１〜３、空間フィルタ４８、及び変換手段４９に相当し、同一の機能を有する。図５において、（１）に空間フィルタ４０−１〜３の特性を、（２）に時間フィルタ４２の特性を、（３）に空間フィルタ４８の特性を、（４）に時間フィルタ４４−１〜３の特性をそれぞれ示す。
【００４４】
尚、画像評価用フィルタ１２−２は、図３に示した画像評価用フィルタ１２−１と同様に、画像の劣化に対し、人間の視覚特性と一致したフィルタ処理を行うものであり、画像の劣化に対する人間の認知度に相当する評価値を出力するから、ここでは詳細な説明は省略する。
【００４５】
このように、画像評価用フィルタ１２−２によれば、画像評価用フィルタ１２―１と同様に、人間の視覚特性に一致したフィルタ処理を実現することができ、画像の劣化（差分）に対する人間の認知度に応じた評価値を出力することができる。したがって、符号化器１５は、画像の劣化に対する人間の認知度が高い場合は多くのビットを割り当て、認知度が低い場合は少ないビットを割り当てたレート制御を行うようになる。これにより、符号化における画質劣化を軽減することができる。
【００４６】
以上、実施の形態を挙げて本発明を説明したが、本発明は上記実施の形態に限定されるものではなく、その技術思想を逸脱しない範囲で種々変形可能である。例えば、図２において、画像評価用フィルタ１２は、符号化・復号化画像を符号化・復号化器１０から入力して輝度値を計算するようにしたが、原画像を遅延手段１３から入力して輝度値を計算するようにしてもよい。
【００４７】
また、図３において、画像評価用フィルタ１２−１は、３つの空間フィルタ３１−１〜３及び３つの時間フィルタ３４−１〜３を備え、図４において、画像評価用フィルタ１２−２は、３つの空間フィルタ４０−１〜３及び３つの時間フィルタ４４−１〜３を備えるように構成したが、それぞれ３個の数に限定されるものではない。すなわち、変換手段３８，４９が輝度値に応じて出力する切替信号の数に従い、３個を超える数のフィルタをそれぞれ備えるように構成してもよい。
【００４８】
また、図３において、画像評価用フィルタ１２−１は、空間フィルタ３１−１〜３を前段に、時間フィルタ３４−１〜３を後段に備えるように構成したが、空間フィルタ３１−１〜３を後段に、時間フィルタ３４−１〜３を前段に備えるように構成してもよい。同様に、図４において、画像評価用フィルタ１２−２は、空間フィルタ４０−１〜３を前段に、時間フィルタ４４−１〜３を後段に備えるように構成したが、空間フィルタ４０−１〜３を後段に、時間フィルタ４４−１〜３を前段に備えるように構成してもよい。
【図面の簡単な説明】
【００４９】
【図１】従来の画像処理装置の構成を示すブロック図である。
【図２】本発明の実施の形態による画像処理装置の構成を示すブロック図である。
【図３】図２の画像評価用フィルタの第１の構成を示すブロック図である。
【図４】図２の画像評価用フィルタの第２の構成を示すブロック図である。
【図５】図３，４の画像評価フィルタにおける空間フィルタ及び時間フィルタの特性を説明する図である。
【符号の説明】
【００５０】
１，１００  画像処理装置
１０  符号化・復号化器
１１  減算器
１２  画像評価用フィルタ
１３，１４  遅延手段
１５  符号化器
３０，３３，４１，４５  切替器
３１−１〜３，３７，４０−１〜３，４３，４８  空間フィルタ
３２，３６，４７  加算器
３４−１〜３，４２，４４−１〜３  時間フィルタ
３５−１〜３，４６−１，４６−２  演算器
３８，４９  変換手段
１０１  動画像符号化手段
１０２  ピクチャ群量子化幅設定手段
１０３  平均ビットレート調整手段
１０４  ピクチャ群複雑度計算手段
１０５  平均複雑度計算手段
１０６  ピクチャ群量子化幅計算手段  
【図１】
2008160527.tif 000003
【図２】
2008160527.tif 000004
【図３】
2008160527.tif 000005
【図４】
2008160527.tif 000006
【図５】
2008160527.tif 000007